(57)【特許請求の範囲】
【請求項１】
ハウジング（２）と、該ハウジングを肩（６）上で支持するためのショルダーサポート（３）を具え、前記ショルダーサポートが、第１端部（３１）及び第２端部（３２）と、カメラから離間していて肩と協働するように適合された運搬表面（３３）とをもつ、可撓性の運搬構成部材（３０）を有し、該運搬構成部材が、この運搬構成部材の第１端部付近の比較的堅い第１連結部材（４１）によりハウジングに連結され、かつ、この運搬構成部材の第２端部付近の比較的堅い第２連結部材（４２）によりハウジングに連結され、第１連結部材（４１）が第２連結部材（４２）に移動可能に連結され、第１及び第２連結部材（４１、４２）が、一定の長さ（１a，ｌb）を有し、かつ、蝶番（５１、５２）によりハウジング（２）に各々固着されてなるカメラ（１）において、
前記蝶番の間の寸法（ｌ1）が、第１及び第２連結部材（４１、４２）の長さ（１a，ｌb）の和よりも大きいことを特徴とするカメラ。
【請求項２】
ハウジング（２）が、カメラをスタンド（７）に配置するための配置表面（２２）を具える下側（２１）を有し、ショルダーサポート（３）が下側（２１）付近に延在することを特徴とする請求項１に記載のカメラ。
【請求項３】
ハウジング（２）が下側（２１）に窪み（２５）を有し、第１および第２連結部材（４１、４２）がこの窪みの位置でハウジングに固着されることを特徴とする請求項１または２に記載のカメラ。
【請求項４】
可撓性の運搬構成部材（３０）が、第１及び第２連結部材（４１、４２）に蝶番で移動可能に固着されたことを特徴とする請求項１、２または３に記載のカメラ。
【請求項５】
可撓性の運搬構成部材（３０）にラバーを設けることを特徴とする請求項１乃至４のいずれか１項に記載のカメラ。
【請求項６】
第１および第２連結部材（４１、４２）が、連結メカニズム（９０）を介して連結され、この連結メカニズムが、第１及び第２連結部材の動作を連結することを特徴とする請求項１乃至５のいずれか１項に記載のカメラ。
【発明の詳細な説明】
本発明は、ショルダーサポートに、第１端部及び第２端部と、カメラから離間していて肩と協働するように適合された運搬表面とを有する可撓性の運搬構成部材を設け、運搬構成部材は、この第１端部付近の比較的堅い第１連結部材と、第２端部付近の比較的堅い第２連結部材とによりハウジングに連結される、ハウジングと、肩の上でハウジングを支持するためのショルダーサポートとを具えるカメラに関するものである。
このようなカメラは、実用例から知られている。既知のカメラのショルダーサポートに、運搬ストラップとこの運搬ストラップの２つの端部を連結する金属ヨークとを設ける。このヨークに、ショルダーサポートをカメラに連結する連結部材を設ける。既知のカメラの欠点は、肩の上での維持が満足のいくものではなかったことである。もう１つの欠点は、カメラが肩の頂上でかなり大きな圧力を受けていたことである。他の欠点は、カメラを安定させることが困難であったことである。
本発明の目的は、これらの不利益を軽減する明細書前文に記載のタイプのカメラを提供することにある。本発明はこのような目的を達成するために、第１連結部材が第２連結部材に移動可能に連結されることを特徴とする。肩が運搬構成部材の両端部間の位置で運搬構成部材に接して位置するように、カメラを肩の上に配置することにより、引力が運搬構成部材中に生じ、この力が第１及び第２連結部材上に作用し、運搬構成部材の両端部に向かって互いに働く。これらの連結部材は、運搬構成部材の第１及び第２端部が互いに移動できるように連結されるので、ショルダーサポートにより肩の前及び後ろでクランピング動作が作用する。この結果、カメラの重量はより広い肩の領域に亘り分配されるので、その結果、肩に作用する圧力が減少する。更に、クランピング動作により肩の上でのショルダーサポートの維持がより良好なものとなりその結果、カメラは肩の動作、例えば仮想軸に関するパニング動作（panningmovements）に追従する。更に、カメラを肩の上で安定させることは、ショルダーサポートがまた、肩の前及び後ろに接して位置することである。更に、本発明の手段によって、より広い肩の範囲の寸法に亘って肩への適合が確かに満足のゆくものとなる。
本発明はまた、連結部材が一定の長さを有し、蝶番により各々ハウジングに固着され、蝶番同士の間の寸法が、連結部材の長さの和よりも長いことを特徴とする。これらの手段により、連結部材は曲がった状態では重ならず、その結果、ショルダーサポートは曲がった状態ではごく僅かのスペースしか占めない。
本発明のカメラの実施例は、第１および第２連結部材のうち少なくとも１つがハウジングに蝶番で連結可能であることを特徴とする。従って、第１連結部材は、簡単且つ強健な構造によって第２連結部材に連結される。更に、肩の上のショルダーサポートのクランピングの程度は、連結部材の蝶番を付ける点を適当に位置決めすることに影響を受ける。
本発明によるカメラの実施例は、ハウジングが、カメラをスタンド上に配置させるための配置表面を具える下側を有することを特徴とする。ショルダーサポートがカメラの下側に位置するので、その結果カメラは肩の上に配置できる。このショルダーサポートは好適にはカメラの重心よりも下方に配置される。前記特性により、配置表面とショルダーサポートとの両者がカメラの重心のより下方に位置することができる。
本発明によるカメラの実施例は、第２連結部材がハウジングに蝶番で連結できることを特徴とする。この手段により、ショルダーサポートは曲げられる。更に、カメラが運搬構成部材に対して移動でき、この結果、カメラの重心のが肩の上に垂直に位置できる。好適には、連結部材が蝶番により取り付け可能である点同士の間の寸法が、第１連結部材が運搬構成部材に連結される点と第２連結部材が運搬構成部材に連結される点との間に肩を配置する場合の距離よりも小さく選択される。これにより、カメラの重心のより上に位置する仮想軸が生まれ、その結果、肩に関するカメラのバランスが更に改良される。第１及び第２連結部材を蝶番で連結可能な点同士間の距離を８乃至１５ｃｍとした場合には、良好な結果が得られることが分かった。
本発明によるカメラの実施例は、ハウジングが下側に窪みを有し、これらの連結部材が窪みの位置でハウジングに固着される。これらの手段により、ショルダーサポートは曲がった状態で窪み内に完全に収容できるので、その結果、配置表面から突出することはない。これにより、カメラは、ショルダーサポートをこのカメラから離間させずにスタンドに直接配置できる。カメラの中には、発泡体のラバーパッドを有するものもあり、このパッドはショルダーサポートとして作用し、下側の窪みに適合する。この発泡体のラバーパッドは本発明によるショルダーサポートと転換でき、現存の窪みはショルダーサポートを収容するには十分大きい。
本発明の実施例は、可撓性の運搬構成部材が連結部材に蝶番で固着可能であることを特徴とする。この手段により、ショルダーサポートはより簡単に曲げられる。更に、カメラの重心を肩より上の点により簡単に移動できる。
本発明による実施例は、可撓性の運搬構成部材にラバーを具えることを特徴とする。ラバーは、可撓性の他に、弾力性をも有し、摩擦係数が高いので、特に適している。この弾力性により、ショルダーサポートは、ロックされていない場合には維持されず、維持された状態では肩か或いは平面上に配置されるように、設計できる。摩擦係数が非常に高いので、ショルダーサポートは肩から離れないであろう。
本発明によるカメラの実施例は、連結部材が連結メカニズムを介して連結され、このメカニズムは、第１及び第２連結部材の動作を連結する。このような連結メカニズムにより、肩に関してカメラを安定させることが改良されることが分かった。連結メカニズムは、第１連結部材が維持されているときには第２連結部材が維持されるように構成されるのが好適である。その結果、ショルダーサポートは、第１連結部材がカメラをスタンドにスライドさせることにより維持され、このとき第１連結部材はスタンドに当って横に押される。これにより、カメラを１つの動作でスタンドに配置できる。
本発明によるショルダーサポートに結合部材と、可撓性の運搬構成部材とを設け、この可撓性運搬構成部材は、第１及び第２端部と、肩と協働する運搬表面とを有し、この運搬表面は結合部材から離間し、前記運搬構成部材は、この第１端部付近の比較的堅い第１連結部材と、第２端部付近の比較的堅い第２連結部材により前記結合部材に連結され、第１連結部材は第２連結部材に移動可能に連結される。本発明によるショルダーサポートは、肩の上のロードを運搬するためには好適である。肩が運搬構成部材の端部間の位置で運搬構成部材の運搬表面に接して位置するようにショルダーサポートを有するロードを肩に配置することにより、引力が運搬構成部材中に生じ、この力が第１及び第２連結部材に作用し、運搬構成部材の両端部に互いに向かって働く。第１及び第２連結部材が移動可能に連結されるので、両端部は互いに対向して移動でき、ショルダーサポートにより肩の前後にクランピング動作が作用する。この結果、ロードの重量はより広い肩の領域に亘り分配されるので、その結果、肩に作用する圧力が減少する。更に、クランピング動作により、肩でのショルダーサポートの維持がより良好なものとなる。更には、ショルダーサポートが肩の前後に接して位置するので、肩上でロードを安定させることがより簡単となる。更に、本発明による手段によって、肩のより広い範囲に亘るショルダーサポートの適合が確実に満足のゆくものとなる。
本発明の上述の及び他の態様を図面による実施例によってより詳細に説明する。
図１は、先行技術のカメラ９を示したものである。既知のカメラ９のショルダーサポートに、運搬ストラップ３０と、運搬ストラップ３０の２つの端部３１及び３２とを連結する金属ヨーク４０とを設ける。ヨーク４０に、ショルダサポート３をカメラ９に連結する連結部材４９を具える。
図２は、第１参考例を示したものであり、この参考例にはハウジング２と、肩の上にハウジング２を支持するためのショルダーサポート３とを具える。ショルダーサポート３に、第１端部３１及び第２端部３２と、肩と協働する運搬表面３３とを有する可撓性の運搬構成部材３０を設け、前記運搬表面はカメラ１から離れている。第１端部３１付近で、運搬構成部材３０は、比較的堅い第１連結部材４１によりハウジング２に連結され、第２端部３２付近では、比較的堅い第２連結部材４２によりハウジング２に連結される。第１連結部材４１は、ガイド５及びハウジング２を介して第２連結部材４２に移動可能に連結する。
図３は、第２参考例を示したものである。第１連結部材４１は、蝶番５１及びハウジング２を介して第２連結部材４２に移動可能に連結する。蝶番５１を第２端部３２から離れて配置することにより、肩上でショルダーサポート３のクランピングの程度を増加させることができる。
図４は、本発明によるカメラの第１実施例の詳細を示したものである。本発明によるカメラ１の第１実施例は、第１連結部材４１が蝶番５１を介して、この場合には結合部材５０によりハウジング２へ固着され、第２連結部材４２が蝶番５２を介してこの場合にも結合部材５０によってハウジング２に固着される。これらの蝶番５１及び５２により、ショルダーサポートは折りたたまれる。
図５は、カメラが肩６にのっている間の本発明によるカメラの第１実施例の詳細を示したものである。カメラ１を肩６の上にのせることにより、肩６は運搬構成部材の両端部３１と３２との間の位置で運搬構成部材３０に接して位置し、引力が、運搬構成部材３０内に生じ、この力は連結部材４１及び４２に作用し、運搬構成部材３０の両端部３１及び３２の互いに対して働く。連結部材４１及び４２が移動可能に連結されるので、この両端部３１及び３２は、互いに移動可能に移動でき、ショルダーサポート３が肩６の前部分６１及び後ろ部分６２にクランピング動作を加える。この結果、カメラの重量は肩６の比較的大きな領域に亘り分配され、その結果、比較的低い圧力が肩６に掛かる。
図６は、本発明によるカメラの第１実施例のクランピング動作を図式的に示したものである。
図７は、カメラ１がスタンド７上にあり、ショルダーサポート３が曲げられた状態にある場合の、本発明によるカメラの第１実施例の詳細を示したものである。ハウジング２は、カメラをスタンド７に配置するための配置表面２２を具える下側２１を有する。ショルダーサポート３は、カメラが肩に配置できるようにカメラの下側２１に配置される。ハウジング２は、下側２１の窪み２５を有し、連結部材４１及び４２は、窪み内に配置される。これらの手段の結果、ショルダーサポートは、曲げられている状態で窪み２５内に完全に収容されるので、ショルダーサポートは配置表面２２の下方に突き出すことはない。これにより、カメラ１が、ショルダーサポートをこのカメラ１から除去せずに、スタンド７に直接配置できる。
図８は、ショルダーサポートを図式的に示したものであり、幾つかの長さを示してある。蝶番５１と５２との間の距離ｌ1は連結部材４１と４２との長さの和ｌa＋ｌbよりも長い。これらの寸法により、連結部材４１及び４２は曲げられた状態では重ならないので、ショルダーサポートは曲げられた状態ではほんの少しの位置しか占めない。この実施例において、蝶番５１と５２との間寸法ｌ1は、肩の上に配置され且つ第１連結部材４１が運搬構成部材に固着される点と第２連結部材４２が運搬構成部材に固着される点との間の寸法ｌ2よりも短くなるように選択される。これにより、カメラの重心８１の上方に位置する仮想枢軸８０が生じ、従って肩に関するカメラのバランスが確かに良好となる。もし寸法ｌ1を８乃至１５ｃｍに選択すれば、良好な結果が得られることが分かった。
本発明によるカメラの第１実施例では、可撓性の運搬構成部材が、連結部材４１及び４２に蝶番で動くことができるように取り付けられる。この手段により、ショルダーサポートはより簡単に折りたたまれる。しかしながら、この手段は運搬構成部材３０が可撓性を有するため、必ずしも必要ではない。
図９は、本発明によるカメラの第２実施例の詳細を示したものである。この実施例においては、連結部材４１及び４２は連結メカニズム９０を介して連結し、このメカニズムは第１連結部材４１と第２連結部材４２との動作を連結する。この結果、ショルダーサポート３は、第１連結部材４１がスタンド７上にスライドする際には完全に曲がり、従ってカメラ１は動作１つでスタンド７上に配置できる。
【図面の簡単な説明】
図１は、先行技術のカメラを示したものであり、
図２は、第１参考例を示したものであり、
図３は、第２参考例を示したものであり、
図４は、本発明による第１実施例の詳細を示したものであり、
図５は、ショルダーサポートが肩にどのように支持されるかを示したものであり、
図６は、ショルダーサポートのクランピング動作を図式的に示したものであり、
図７は、折りたたまれた状態でのショルダーサポートを示したものであり、
図８は、ショルダーサポートと幾つかの寸法を図式的に示したものであり、
図９は、第２実施例を示したものである。
【図１】
0004108753.tif 000002
【図４】
0004108753.tif 000003
【図２】
0004108753.tif 000004
【図３】
0004108753.tif 000005
【図５】
0004108753.tif 000006
【図６】
0004108753.tif 000007
【図７】
0004108753.tif 000008
【図８】
0004108753.tif 000009
【図９】
0004108753.tif 000010